(57)【要約】【課題】影の発生を抑制することができるとともに取付面の明るさが暗くなることを防止し外観性の向上を図ることができるとともに眩しさカットと明るさの確保とを両立することができる照明器具を提供する。【解決手段】照明器具１０は、不透過材の外郭で構成された器具本体１１と、器具本体１１の一方向に配置されたＬＥＤ１２と、透過性を有して器具本体１１の大部分を覆うカバー１３と、を備え、カバー１３は少なくともＬＥＤ１２の光が直接入射する領域が拡散性を有するように形成し、それ以外の領域が透明性を有する。【選択図】図１
2010176890.tif 000002
【特許請求の範囲】
【請求項１】
不透過材の外郭で構成された器具本体と、
前記器具本体の一方向に配置されたＬＥＤと、
透過性を有して前記器具本体の大部分を覆うカバーと、
を備えた照明器具において、
前記カバーは少なくともＬＥＤの光が直接入射する領域が拡散性を有するように形成し、それ以外の領域が透明性を有することを特徴とする照明器具。
【請求項２】
前記器具本体は前記カバーの透明性を有する領域と対面する面に反射面を有することを特徴とする請求項１記載の照明器具。
【発明の詳細な説明】
【技術分野】
【０００１】
本発明は、例えば天井や壁面に直付けして照明を行うスポットライト、ウォールライト、ペンダント等の照明器具に関する。
【背景技術】
【０００２】
従来の照明器具の一例として、電球形蛍光ランプと発光ダイオードとを組み合わせてカバー、即ちグローブ内に取り付けたものが知られている（例えば特許文献１参照）。
【０００３】
上記特許文献１に開示された照明器具は、拡散性を有するグローブを通じて、電球形蛍光ランプの光および発光ダイオードの光を照射することにより使用者に眩しさを与えない照明を行うようにしている。
【先行技術文献】
【特許文献】
【０００４】
【特許文献１】特開２００３−２９７１０５号公報（図２、段落番号００３２）
【発明の概要】
【発明が解決しようとする課題】
【０００５】
ところが、上記特許文献１に開示された照明器具では、発光ダイオードからの光の眩しさを抑えるための拡散性を有するグローブを用いているために、発光ダイオードからの光が前方方向にほとんど照射され、それにより、グローブの中央部付近に影が発生する虞がある。
【０００６】
このような影をなくすには、グローブの外形を大きくすることが有効であるが、グローブを大きくすると照明器具の全体が大型化してコンパクトにならない。また、光が前方方向に広がるため、取付面の明るさがグローブの明るさに比べて少なくなって暗くなる虞もある。
【０００７】
また、上記特許文献１に開示された照明器具では、光源である白熱ランプや蛍光灯などを器具本体の一方向に配置すると、グローブの透明性を有する部分を通じて光源が見えてしまい、眩しさを抑えることができずに外観性の悪化も懸念される。
【０００８】
本発明は、前述した課題を解決するためになされたものであり、その目的は、影の発生を抑制することができるとともに取付面の明るさが暗くなることを防止し外観性の向上を図ることができるとともに眩しさカットと明るさの確保とを両立することができる照明器具を提供することにある。
【課題を解決するための手段】
【０００９】
本発明に係る照明器具は、不透過材の外郭で構成された器具本体と、前記器具本体の一方向に配置されたＬＥＤと、透過性を有して前記器具本体の大部分を覆うカバーと、を備えた照明器具において、前記カバーは少なくともＬＥＤの光が直接入射する領域が拡散性を有するように形成し、それ以外の領域が透明性を有することを特徴とする。
【００１０】
本発明においては、ＬＥＤからの光は、その光が直接入射する拡散性のカバーにより拡散されて外部を照射するとともに反射して透明性のカバーを透過して取付面側を照射する。
従って、ＬＥＤの光が前方方向に集中的に照射されたとしても、カバーに写る影を抑制することができる。
【００１１】
本発明においては、ＬＥＤからの光は、反射してから透明性のカバーを透過して取付面側を照射する。
従って、取付面の明るさをカバーの明るさと同等として光のコーディネートを図ることができる。
【００１２】
本発明においては、ＬＥＤからの光に基づいて拡散光と反射光とを創生し、直接目に入る位置のみ拡散性のカバーとし、その他の部分を透明性のカバーとした。
従って、外観性の向上を図ることができるとともに眩しさカットと明るさの確保とを両立することができる。
【００１３】
本発明に係る照明器具は、上記照明器具において、前記器具本体は前記カバーの透明性を有する領域と対面する面に反射面を有することを特徴とする。
【００１４】
本発明においては、ＬＥＤからの反射光を器具本体の反射面により反射させて取付面側を照射する光を創生する。
従って、取付面への光量をさらに増加することにより取付面の明るさを、より一層、カバーの明るさに近づけることができる。
【発明の効果】
【００１５】
本発明の照明器具によれば、不透過材の外郭で構成された器具本体と、器具本体の一方向に配置されたＬＥＤと、透過性を有して器具本体の大部分を覆うカバーと、を備え、カバーは少なくともＬＥＤの光が直接入射する領域が拡散性を有するように形成し、それ以外の領域が透明性を有する。
これにより、影の発生を抑制することができるとともに取付面の明るさが暗くなることを防止し外観性の向上を図ることができるとともに眩しさカットと明るさの確保とを両立することができるという効果を有する。
【図面の簡単な説明】
【００１６】
【図１】本発明に係る第１実施形態の照明器具の壁面取付状態での断面図
【図２】図１に示した照明器具の部分拡大図
【図３】図１に示した照明器具における光の作用説明図
【図４】本発明に係る第２実施形態の照明器具の図２相当の部分拡大図
【図５】本発明に係る第３実施形態の照明器具の図２相当の部分拡大図
【図６】本発明に係る第４実施形態の照明器具の図３相当の断面図
【発明を実施するための形態】
【００１７】
以下、本発明の複数の実施形態に係る照明器具について、図面を参照して説明する。
【００１８】
（第１実施形態）
図１に示すように、本発明の第１実施形態である照明器具１０は、不透過材の外郭で構成された器具本体１１と、器具本体１１の一方向に配置された複数のＬＥＤ（発光ダイオード）１２と、透過性を有して器具本体の大部分を覆うカバー１３と、を備え、壁面１に設けられている不図示の引掛けローゼット等に電気的に接続される。
【００１９】
器具本体１１は金属製で不透光性を有する箱形状に形成されている。器具本体１１はＬＥＤ１２に直流電流を供給させるための直流電源回路である点灯回路１４を内装しており、内部に電源配線を引き回すための配線スペース１５を有する。器具本体１１は白色の塗装を施されており、図１中の右方側の取付部１６を取付面である壁面１に当接させる。
【００２０】
ＬＥＤ１２は不図示のＬＥＤ基板上に実装されており、器具本体１１の反取付部側である図１中の左方側に組み付けられている。ＬＥＤ１２は点灯回路１４に電気的に接続されている。点灯回路１４は引掛けローゼットに電気的に接続されて受電される。ＬＥＤ１２は例えば２個ずつを上下に２列に配置している。
【００２１】
カバー１３はプラスチック等の高分子材料を素材として器具本体１１のほぼ全体を覆う球形状に形成されている。カバー１３は器具本体１１の一方側であるＬＥＤ実装面１７に対応したＬＥＤ光直接照射範囲の境界線１８を境として、その反取付部側に半球形状の拡散カバー部１９を有する。そして、カバー１３は境界線１８を境として、その取付部側に拡散カバー部１９と面対称をなす半球形状の透明カバー部２０を有する。カバー１３は球形状に代えて、有底の箱形状や半円筒形状等のデザイン面を考慮した任意形状に形成されても良い。
【００２２】
図２にも示すように、拡散カバー部１９は予め定められた厚みで半反射特性を有するとともに拡散性を有する。拡散カバー部１９はＬＥＤ１２からの発光光を拡散して外部に照射するとともに反射させる。
【００２３】
透明カバー部２０は拡散カバー部１９と同一の厚みを有し、拡散性をもたずに単純な透明板からなる。
【００２４】
このとき、拡散カバー部１９は器具本体１１のほぼ全体を覆っているために、拡散カバー部１９を通じた目線Ａの位置からではＬＥＤ１２が直接見えないようになっている。
よって、ＬＥＤ１２や器具本体１１等の内部部品を外部から見えないように隠して、すっきりとした外観を提供することができる。
【００２５】
次に、照明器具１０における光の作用について説明する。
【００２６】
図３に示すように、通電によりＬＥＤ１２が発した発光光α１は指向性を有してＬＥＤ光直接照射範囲の境界線１８よりも反取付部側の拡散カバー部１９に向けて進行する。そして、ＬＥＤ１２からの発光光α１は拡散カバー部１９により拡散されながら透過し、拡散光α２となって床面等の被照射面を照射する。
【００２７】
ＬＥＤ１２からの発光光α１の一部は拡散カバー部１９の内面において反射して反射光α３に変換される。反射光α３はＬＥＤ光直接照射範囲の境界線１８よりも取付部１６側に配置されている透明カバー部２０に向けて進行する。
【００２８】
透明カバー部２０に向けて進行した反射光α３は透明カバー部２０を透過して壁面１を照射し、間接照明を行う。
【００２９】
第１実施形態の照明器具１０では、ＬＥＤ１２からの光は、その光が直接入射する拡散カバー部１９により拡散されて外部を照射するとともに反射して透明カバー部２０を透過して壁面１を照射する。
従って、ＬＥＤ１２の光が前方方向に集中的に照射されたとしても、カバー１３に写る影を抑制することができる。
【００３０】
第１実施形態の照明器具１０では、ＬＥＤ１２からの光は、反射して透明カバー部２０を透過して壁面１を照射する。
従って、壁面１の明るさをカバー１３の明るさと同等として光のコーディネートを図ることができる。
【００３１】
第１実施形態の照明器具１０では、ＬＥＤ１２からの光に基づいて拡散光α２と反射光α３とを創生し、直接目に入る位置のみ拡散カバー部１９とし、その他の部分を透明カバー部２０とした。
従って、外観性の向上を図ることができるとともに、眩しさカットと明るさの確保とを両立することができる。
【００３２】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３３】
図４にも示すように、本発明の第２実施形態の照明器具３０は、カバー３１に、透明な板部材の裏面に凹凸面状の粗面加工を施すことにより粗面部３２を形成した拡散カバー部３３を備えている。
【００３４】
ＬＥＤ１２からの発光光α１は拡散カバー部３３の粗面部３２により拡散されながら透過し、拡散光α２となって床面等の被照射面を照射するとともに反射光α３に変換される。
【００３５】
第２実施形態の照明器具３０では、カバー３１の拡散カバー部３３に、透明な板部材の裏面に粗面加工を施すことにより粗面部３２を形成した。
従って、第１実施形態に比べて拡散性の付与を機械的加工により行うことができるので、カバー３１を簡単に成形することができる。
【００３６】
（第３実施形態）
次に、本発明の第３実施形態の照明器具について説明する。
【００３７】
図５にも示すように、本発明の第３実施形態の照明器具４０は、カバー４１の拡散カバー部４２が、透明なガラス板４３の裏面に拡散性を有する樹脂部材４４を塗装することにより形成されている。
【００３８】
ＬＥＤ１２からの発光光α１は拡散カバー部４２の樹脂部材４４により拡散されながら透過し、拡散光α２となって床面等の被照射面を照射するとともに反射光α３に変換される。
【００３９】
第３実施形態の照明器具４０では、カバー４１の拡散カバー部４２に、透明なガラス板４３の裏面に拡散性を有する樹脂部材４４を塗装することにより形成した。
従って、ガラス板４３の高度な透明度により、より明るい照明を行うことができる。
【００４０】
（第４実施形態）
次に、本発明の第４実施形態の照明器具について説明する。
【００４１】
図５にも示すように、本発明の第４実施形態の照明器具５０は、カバー１３の透明カバー部２０に対面する器具本体１１の外郭に反射面５１を形成することにより鏡面仕上げにしている。
【００４２】
拡散カバー部１９の内面において反射した反射光α３はＬＥＤ光直接照射範囲の境界線１８よりも取付面側に配置されている透明カバー部２０を透過して壁面１を照射する。同時に、一部の反射光α４は器具本体１１に向けて進行し、器具本体１１の反射面５１により反射して透明カバー部２０を透過して壁面１を照射する。
【００４３】
第４実施形態の照明器具５０では、ＬＥＤ１２からの一部の反射光α４を器具本体１１の反射面５１により反射させて壁面１を照射する光を創生するようにした。
従って、壁面１への光量を増加することにより壁面１の明るさを、より一層、カバー１３の明るさに近づけることができる。
【００４４】
なお、前記各実施形態で使用した器具本体１１、カバー１３，３１，４１等は例示したものに限定するものではなく適宜変更が可能である。
【符号の説明】
【００４５】
１  壁面（取付面）
１０  照明器具
１１  器具本体
１２  ＬＥＤ
１３  カバー
３０  照明器具
３１  カバー
４０  照明器具
４１  カバー
５０  照明器具
５１  反射面
【図１】
2010176890.tif 000003
【図２】
2010176890.tif 000004
【図３】
2010176890.tif 000005
【図４】
2010176890.tif 000006
【図５】
2010176890.tif 000007
【図６】
2010176890.tif 000008